(57)【要約】【課題】  簡単な構造を以って、高級な鞄を、その素材やサイズ、或いは形状に応じて効果的に保形し、保存できる鞄用保形材の提供。【解決手段】  緩衝材１を通気性シート２に包んで成る外包体３に、調湿材を通気性シート５で包んで成る内包体６を遊動可能に収容した保形材であって、前記外包体３が通気性を有し、且つ前記調湿材４が、一種類又は二種類以上の多孔質材又は吸湿シートからなる鞄用保形材。【選択図】      図１
2007209690.tif 000002
【特許請求の範囲】
【請求項１】
緩衝材（１）を通気性シート（２）に包んで成る外包体（３）に、調湿材を通気性シート（５）で包んで成る内包体（６）を遊動可能に収容した保形材であって、前記外包体（３）が通気性を有し、且つ前記調湿材（４）が、一種類の多孔質材又は吸湿シートからなる鞄用保形材。
【請求項２】
緩衝材（１）を通気性シート（２）に包んで成る外包体（３）に、調湿材を通気性シート（５）で包んで成る内包体（６）を遊動可能に収容した保形材であって、前記外包体（３）が通気性を有し、且つ前記調湿材（４）が、二種類以上の多孔質材又は吸湿シートからなる鞄用保形材。
【請求項３】
前記緩衝材が、調湿性を備えた吸湿シートからなる前記請求項１又は請求項２のいずれかに記載の鞄用保形材。
【請求項４】
前記内包体（６）の通気性シート（５）の二方向以上の側面に、アンカー帯（７）を延設した前記請求項１乃至請求項３のいずれかに記載の鞄用保形材。
【発明の詳細な説明】
【技術分野】
【０００１】
本発明は、鞄（バッグと呼ばれる物等を含む。以下、同じ。）に充填してその形態の維持を図る鞄用保形材に関する。
【背景技術】
【０００２】
鞄に充填される保形材には、まるめた新聞紙からウレタンまで種々の充填剤が用いられるが、ほとんどが廃材利用の非売品扱いであって、より良い機能を果たす為に求められる実質的な組成は比較的軽視されがちである。時には、内部の臭気を消し、或いは湿気を帯びることによりカビが発生することの防止を目的として、不織布等の袋に多孔質材を充填した消臭パック（例えば、下記特許文献参照。）を保形材と共に入れ置くことも日常的に行われている。
【０００３】
【特許文献１】特開２００４−３１３６０６号公報
【特許文献２】特開２００６−１４７６９号公報
【発明の開示】
【発明が解決しようとする課題】
【０００４】
しかしながら、上記の如く廃物利用の充填材と消臭パック等の併用では、消臭パック等の挿入位置の適性化、或いは輸送時等で生じる振動による位置ずれの防止、又は、充填材を介することで生じる鞄内部での空気の循環の確保等が困難であり、例えば、革製品としての鞄を、過酷な環境の中で輸送し、長期に亘って適正に保管することが困難である。
【０００５】
本発明は、上記実情に鑑みて成されたものであって、簡単な構造を以って、高級な鞄を、その素材やサイズ、或いは形状に応じて効果的に保形し、保存できる鞄用保形材の提供を目的とする。
【課題を解決するための手段】
【０００６】
上記課題を解決する為に成された本発明による鞄用保形材は、スポンジ、ウレタン、或いは吸湿シート（新聞紙）等から成る緩衝材を通気性シートに包んで成る外包体に、調湿材を通気性シートで包んで成る単数又は複数の内包体を遊動可能に収容した保形材であって、前記外包体が通気性を有し、且つ前記調湿材が、一種類又は二種類以上の、多孔質材、吸湿素材、又は吸湿シートからなることを特徴とする。前記多孔質材としては、木炭、竹炭、活性炭、或いはゼオライト等の粒体又は粉体が挙げられ、前記吸湿素材としてはシリカゲル等が挙げられ、吸湿シートとしては新聞紙等が挙げられる。前記緩衝材が、調湿性を備えた吸湿シートからなるものであっても良い。
【０００７】
前記内包体の通気性シートの二方向以上の側面からアンカー帯を延出した構成とすることもできる。当該アンカー帯は、延設下方向の数量や緩衝材の材質や大きさに応じて、幅や長さを適宜調整することができる。
【発明の効果】
【０００８】
本発明は、緩衝材を通気性シートからなる包体に充填することによって、被保形物の型崩れを防止し得る事はもとより、保形材全体としての弾性と通気性の双方を確保でき、かかる緩衝材に囲まれて内包体が遊動自在に収容されていることによって、当該外包体の内部における内包体の存在位置を自由に設定できることとなる。
【０００９】
また、当該内包体の通気性シートの二方向以上の側面に、アンカー帯を延設する構成によって、上記の如く内包体の存在位置を設定した際に、当該アンカー帯が緩衝材の間に挟まれてアンカー的な機能を奏し、狭い間口を介して保形材を鞄に充填する際、或いは過酷な条件下で輸送され、又は流通に際して乱暴に取り扱われた際であっても、外包体の内部において、鞄の内部における調湿機能や消臭機能を良好に発揮し得る適正な位置を維持することが可能となる。
【００１０】
更に、前記木炭、竹炭、活性炭、或いはゼオライト等の多孔質材の粒体又は粉体、シリカゲル等の吸湿素材、又は新聞紙等の吸湿シートから成る調湿材は、吸湿効果と脱臭効果を有する事はもとより、素材の選択及び調製によっては、単なる吸湿効果ではなく、高湿環境下においては相対的に吸湿効果を奏し、乾燥環境下にあっては相対的に加湿効果を奏することから、皮革製品に対しては、過乾燥を回避した適正な乾燥状態が維持できる。また、当該鞄の素材（皮革のみを素材とする製品、皮革と樹脂シートの併用製品、又は樹脂シート製品等）に応じて、当該吸湿パック的な機能を奏する内包体と外包体との容積バランスと配置を調整することによって、素材に応じたより高い実用性を奏し被保形物の劣化抑制に寄与する。
【発明を実施するための最良の形態】
【００１１】
以下、本発明による鞄用保形材の実施の形態を図面に基き説明する。
本発明による鞄用保形材は、緩衝材１を通気性シート２に包んで成る外包体３に、多孔質材（木炭）の粒体からなる調湿材４を通気性シート５で包んで成る単数又は複数の内包体６を、遊動可能に収容したものである（図１参照）。
【００１２】
前記外包体３及び内包体６の包皮たる通気性シート２，５は、通気性が確保されることを条件として、不織布からシルクに至るまで、そのデザインや質感、或いは強度や耐用期間等を考慮して広く素材を選択することが可能である。かかる通気性シート２，５を、被保形物８の形状に合わせて折り曲げ等の成形を施し、縁部を適宜溶着、接着、或いは縫着により閉鎖することにより包体を形成し、前記緩衝材１又は多孔質材の粒体からなる調湿材４を充填し、充填口を前記の如く閉鎖することにより外包体３又は内包体６の基本形が成形される。
【００１３】
図１乃至図４に示す例は、緩衝材１としてスポンジ片を用いて構成した。前記緩衝材１のサイズは、被保形物の容積に応じて、平均サイズ：約１ｃｍ〜４ｃｍの片又は所望サイズの塊を適宜選択することとなる。また、前記多孔質材の粒径としては、約１μｍ〜数１０ｍｍ程度の粉体或いは粒体、又は吸湿シートを丸めて成る塊を、被保形物８の容積又は形状に応じて適宜選択することとなる。
【００１４】
前記外包体３の内部に収容する前記内包体６にあっても、被保形物８の容室形状に応じて、サイズや数量、並びに配置を適宜選択することとなる。当該内包体６の位置は、外包体３の内部において自由に移動させることができるが、前記緩衝材１の存在による抵抗を以って少なからず移動調整された位置の維持が可能となる（図２参照）。
【００１５】
更に、配置を安定させる措置としては、当該外包体３又は内包体６の包皮の側面に面ファスナー等の連結部材９を定着し、相接する保形材０の単位体同士、或いは、当該単位体に複数の内包体６を収容した場合（図３参照）にはそれらの内包体同士（図示省略。図３に示す外包体３の構成と同様。）を、相互に連結出来る構造を採用しても良い。
【００１６】
或いは、前記内包体６の通気性シート５の二方向以上の側面からアンカー帯７，７を延出した構成とし、当該アンカー帯７に対する緩衝材１の干渉によって移動調製された位置を維持することもできる。当該アンカー帯７は、延設した方向の数量や緩衝材１の材質や大きさに応じて、幅や長さを適宜調整することができる。
【００１７】
前記調湿材４には種々の態様が考えられるが、なかから木炭（多孔質材）と新聞紙（吸湿シート）を抜粋し、更にスポンジを加え、各々の調湿効果を観測した。
観測は、１２Ｌの密閉式ポリ容器に、それらを調湿材４として用いた前記保形材を入れ（図６参照）、当該ポリ容器を恒温槽に対して出し入れすることにより（図７参照）、それらポリ容器内の温度を変化させ、当該ポリ容器内の相対湿度の変動を作り出すと共に、経時的な湿度変化を測定することにより行った。
【００１８】
図４のグラフにおいては、最下位に位置する相互に重なった線が恒温槽を用いて作られた温度変化を示したものであり、上位に位置する四本の線が、最上位から順に、保形材を入れなかったポリ容器内の湿度変化、調湿材４としてスポンジを用いた保形材を入れたポリ容器内の湿度変化、調湿材４として新聞紙を用いた保形材を入れたポリ容器内の湿度変化、及び調湿材４として木炭を用いた保形材を入れたポリ容器内の湿度変化を順に記したものである。
【００１９】
図４によれば、新聞紙と木炭に調湿効果が観られる。即ち、スポンジと比較すると、恒温槽から出した１５：００以降、相対湿度が上昇しているが、新聞紙と木炭の双方共に、一旦湿度が最高値を示した後に、安定湿度（新聞紙：約６８％、木炭：約４５％ＲＨ）に向かう傾向が観られる。当該観測で得られた結果では、新聞紙は比較的高い湿度（約６５％ＲＨから約８５％ＲＨ）で調湿が行われ、木炭は比較的低い湿度（約４０％ＲＨから約５５％ＲＨ）で調湿が行われている。これに対して、スポンジを用いたサンプルは、一旦湿度が最高値を示した後に低下する傾向は観られない。これは、保湿力が高いことを意味すると解される。
【００２０】
図５は、図４と同様な手法で作り出した相対湿度の変化を一定時間（４時間）毎に反復させたものである。
当該グラフにおいては、最下位に位置する相互に重なった線が、恒温槽を用いて作られたポリ容器内の温度変化を示したものであり、上位に位置する三本の線が、最上位から順に、保形材を入れなかったポリ容器内の湿度変化、調湿材４としてスポンジを用いた保形材を入れたポリ容器内の湿度変化、及び調湿材４として木炭を用いた保形材を入れたポリ容器内の湿度変化を順に記したものである。
【００２１】
当該グラフによれば、木炭の調湿効果が際立って観られる。
これらの観測結果より、調湿材４となる素材の選択と混合（例えば、前記木炭の粒体と新聞紙片とを混合して成る調湿材等）、又はかかる調湿材４と調湿性を有する緩衝材（新聞紙等）１との組み合わせによって所望の素材に対する適正な調湿効果が可能となることが認められ、その効果は、急激な相対湿度の変化にあっても追従性が高いと解される。
【産業上の利用可能性】
【００２２】
本発明による鞄用保形材は、汎用品としてはもとより、商品個々のブランド、素材、又は構造に応じた専用品として用いることが容易となり、より実用効果の高い保形材として、保形材の地位向上に寄与するものである。
【図面の簡単な説明】
【００２３】
【図１】本発明による鞄用保形材の使用態様及び構造を示す説明図である。
【図２】本発明による鞄用保形材の使用態様及び構造を示す説明図である。
【図３】本発明による鞄用保形材の使用態様及び構造を示す説明図である。
【図４】本発明による鞄用保形材の調湿効果の観測結果の一例を示すグラフである。
【図５】本発明による鞄用保形材の調湿効果の観測結果の一例を示すグラフである。
【図６】本発明による鞄用保形材の調湿効果の観測状態の一例を示す写真である。
【図７】本発明による鞄用保形材の調湿効果の観測状態の一例を示す写真である。
【符号の説明】
【００２４】
０  保形材，１  緩衝材，２  通気性シート，３  外包体，
４  調湿材，５  通気性シート，６  内包体，
７  アンカー帯，８  被保形物，９  連結部材，
【図１】
2007209690.tif 000003
【図２】
2007209690.tif 000004
【図３】
2007209690.tif 000005
【図４】
2007209690.tif 000006
【図５】
2007209690.tif 000007
【図６】
2007209690.tif 000008
【図７】
2007209690.tif 000009